(57)【要約】【課題】  湾曲した形状をなす上流側搬送経路のガイド部材の出口部と下流側搬送経路のガイド部材の入口部との係合箇所における用紙後端部通過時の騒音発生を防止する。【解決手段】  用紙搬送方向上流側に配置され湾曲した形状をなす第１ガイド部材１０１と、第１ガイド部材１０１の用紙搬送方向下流側に配置され入口開口部を有する第２ガイド部材１０２と、第２ガイド部材１０２の入口開口部１０２Ａの用紙搬送方向下流側に配置され用紙Ｓを挟持して搬送する搬送ローラ１１４とから成る用紙搬送装置において、第１ガイド部材１０１の出口開口部１０１Ａと第２ガイド部材１０２の入口開口部１０２Ａとが近接する箇所における用紙搬送経路の用紙搬送方向が、搬送ローラ１１４の挟持部における共通接線ＣＴと平行する方向で、且つ、挟持部に指向するように搬送ローラ１１４を配置した。【選択図】        図５
2005142995.tif 000002
【特許請求の範囲】
【請求項１】
湾曲した形状をなし出口開口部を有する用紙搬送方向上流側の第１ガイド部材と、前記第１ガイド部材の用紙搬送方向下流側に配置され前記出口開口部より広い入口開口部を有する第２ガイド部材と、前記第２ガイド部材の入口開口部の用紙搬送方向下流側に配置され用紙を挟持して搬送する１組のローラ対から成る搬送ローラと、から構成され、前記第１ガイド部材の出口開口部を通過した用紙が前記第２ガイド部材の入口開口部を通過した後、前記搬送ローラにより搬送される用紙搬送装置において、
前記第１ガイド部材の出口開口部と、前記第２ガイド部材の入口開口部との間にある用紙が前記搬送ローラの共通接線上に位置することを特徴とする用紙搬送装置。
【請求項２】
湾曲した形状をなし出口開口部を有する原稿搬送方向上流側の第１ガイド部材と、前記第１ガイド部材の原稿搬送方向下流側に配置され前記出口開口部より広い入口開口部を有する第２ガイド部材と、前記第２ガイド部材の入口開口部の原稿搬送方向下流側に配置され原稿を挟持して搬送する１組のローラ対から成る搬送ローラと、から構成され、画像読取装置の読取部において読取処理された原稿が、前記第１ガイド部材の出口開口部を通過し、前記第２ガイド部材の入口開口部を通過した後、前記搬送ローラにより搬送される原稿移動読取型の自動原稿送り装置において、
前記第１ガイド部材の出口開口部と、前記第２ガイド部材の入口開口部との間にある原稿が前記搬送ローラの共通接線上に位置することを特徴とする自動原稿送り装置。
【請求項３】
湾曲した形状をなし出口開口部を有する原稿搬送方向上流側の第１ガイド部材と、前記第１ガイド部材の原稿搬送方向下流側に配置され前記出口開口部より広い入口開口部を有する第２ガイド部材と、前記第２ガイド部材の入口開口部の原稿搬送方向下流側に配置され原稿を挟持して搬送する１組のローラ対から成る搬送ローラと、から構成され、画像読取装置の読取部において前記原稿を停止させて読取処理したのち、前記搬送ローラにより挟持して前記原稿を前記読取部から排出する光学系移動読取型の自動原稿送り装置において、
前記第１ガイド部材の出口開口部と、前記第２ガイド部材の入口開口部との間にある原稿が前記搬送ローラの共通接線上に位置することを特徴とする自動原稿送り装置。
【請求項４】
画像形成装置の画像形成部において画像形成された用紙を反転搬送させる反転搬送手段に、請求項１に記載の第１ガイド部材、第２ガイド部材、搬送ローラを配置したことを特徴とする画像形成装置。
【発明の詳細な説明】
【技術分野】
【０００１】
本発明は、電子写真複写機、プリンタ、ファクシミリ等の画像形成装置、及び複合機能を有する画像形成装置の用紙搬送装置に関し、特に、スリット露光用ガラスの上方を通過する原稿の画像を読み取る原稿移動露光型（シートスルー型）読取装置、又は原稿台ガラスの上に載置された原稿の画像を読み取る光学系移動露光型（フラットベッド型）読取装置に装着される自動原稿送り装置に関するものである。
【背景技術】
【０００２】
図７（ａ）は従来の用紙搬送装置の要部断面図である。
【０００３】
用紙搬送装置は、湾曲した形状をなす搬送経路の上流側の第１ガイド部材１０１と、上流側搬送経路の用紙搬送方向下流側の搬送経路の第２ガイド部材１０２と、第１ガイド部材１０１の用紙搬送方向上流側に配置された１組のローラ対から成る搬送ローラ１０３と、第２ガイド部材１０２の入口の入口開口部１０２Ａの下流側に配置された１組のローラ対から成る搬送ローラ１０４とから構成されている。
【０００４】
第１ガイド部材１０１の出口開口部１０１Ａの下側ガイド面１０１Ｂと、第２ガイド部材１０２の入口開口部１０２Ａの下側ガイド面１０２Ｂとは段差部ｈを形成して第２ガイド部材１０２の入口開口部１０２Ａの下面が広くなっている。
【０００５】
上記の構成において、搬送ローラ１０３の回転によって、用紙Ｓが第１ガイド部材１０１に沿って搬送され、第１ガイド部材１０１の出口開口部１０１Ａを通過し、第２ガイド部材１０２の入口開口部１０２Ａに導入され、搬送ローラ１０４に挟持されて更に下流側に搬送される。
【０００６】
ここで、第１ガイド部材１０１の出口開口部１０１Ａの下側ガイド面１０１Ｂと、第２ガイド部材１０２の入口開口部１０２Ａの下側ガイド面１０２Ｂとに段差部ｈを形成したのは、用紙Ｓの搬送方向先端部が第２ガイド部材１０２の入口開口部１０２Ａの下側ガイド面１０２Ｂに接触して、搬送不良を発生させる事を防止するためである。
【０００７】
段差部ｈを形成する第２ガイド部材１０２の入口開口部１０２Ａにおける用紙搬送経路と、搬送ローラ１０４の挟持位置における共通接線ＣＴとは、ほぼ平行に配置されている。従って、共通接線ＣＴの第２ガイド部材１０２の入口開口部１０２Ａ近傍では、第１ガイド部材１０１の出口開口部１０１Ａ近傍の下側ガイド面１０１Ｂより下方に位置する。
【０００８】
特許文献１は、上流側搬送面と下流側搬送面とを連続的に設け、この上流側搬送面と下流側搬送面とに所定の段差を形成した用紙搬送装置において、下流側搬送面にスポンジ、ゴム、起毛布等の緩衝部材を設け、用紙の後端部が下流側搬送面へ打ちつけられる際の衝撃を緩和するものである。
【０００９】
図７（ｂ）は従来の自動原稿送り装置の要部断面図である。
【００１０】
図示しない原稿給紙台上に載置された原稿ｄは、１組のローラ対から成る搬送ローラ２４により挟持されて原稿案内部材２５の湾曲面に沿って搬送され、図示しない画像読取装置の読取部のスリット露光用ガラス１３の位置において原稿の画像を読取処理されたのち、原稿ガイド部材２５から成る第１ガイド部材の出口部を通過して、下流側の第２ガイド部材１９の入口部に導入され、１組のローラ対から成る搬送ローラ２６に挟持されて排出される。
【特許文献１】特開平５−１１６７９７号公報
【発明の開示】
【発明が解決しようとする課題】
【００１１】
このような用紙搬送装置や自動原稿送り装置において、湾曲した形状をなす上流側の搬送経路の第１ガイド部材の出口部と下流側の搬送経路のガイド部材の入口部とが近接する箇所で、用紙先端部が第２ガイド部材の入口部の下面に接触して、搬送不良を発生させる事を防止するため第２ガイド部材に段差部を設けた場合、段差部において用紙の後端部が下流側搬送面へ打ちつけられる際に衝撃が発生する。
【００１２】
特許文献１では、この衝撃発生を防止するため、下流側搬送面にスポンジ、ゴム等から成る緩衝部材を設け、用紙の後端部が下流側搬送面へ打ちつけられる際の衝撃を緩和するものであるが、緩衝部材の貼着工数増、貼着剥がれ、緩衝部材の表面保護のための耐摩耗性フィルムの追加、部品点数の増大等の問題がある。
【００１３】
本発明は、上記の課題を解決するものであり、湾曲した形状をなす上流側の搬送経路の第１ガイド部材の出口部と下流側の搬送経路の第２ガイド部材の入口部とが係合する箇所における用紙先端部の導入を容易にすると共に、用紙後端部通過時の騒音発生を防止することを目的とするものである。
【課題を解決するための手段】
【００１４】
上記目的を達成する請求項１に係る本発明の用紙搬送装置は、湾曲した形状をなし出口開口部を有する用紙搬送方向上流側の第１ガイド部材と、前記第１ガイド部材の用紙搬送方向下流側に配置され前記出口開口部より広い入口開口部を有する第２ガイド部材と、前記第２ガイド部材の入口開口部の用紙搬送方向下流側に配置され用紙を挟持して搬送する１組のローラ対から成る搬送ローラと、から構成され、前記第１ガイド部材の出口開口部を通過した用紙が前記第２ガイド部材の入口開口部を通過した後、前記搬送ローラにより搬送される用紙搬送装置において、前記第１ガイド部材の出口開口部と、前記第２ガイド部材の入口開口部との間にある用紙が前記搬送ローラの共通接線上に位置することを特徴とするものである。
【００１５】
また、上記目的を達成する請求項２に係る本発明の自動原稿送り装置は、湾曲した形状をなし出口開口部を有する原稿搬送方向上流側の第１ガイド部材と、前記第１ガイド部材の原稿搬送方向下流側に配置され前記出口開口部より広い入口開口部を有する第２ガイド部材と、前記第２ガイド部材の入口開口部の原稿搬送方向下流側に配置され原稿を挟持して搬送する１組のローラ対から成る搬送ローラと、から構成され、画像読取装置の読取部において読取処理された原稿が、前記第１ガイド部材の出口開口部を通過し、前記第２ガイド部材の入口開口部を通過した後、前記搬送ローラにより搬送される原稿移動読取型の自動原稿送り装置において、前記第１ガイド部材の出口開口部と、前記第２ガイド部材の入口開口部との間にある原稿が前記搬送ローラの共通接線上に位置することを特徴とするものである。
【００１６】
更に、上記目的を達成する請求項３に係る本発明の自動原稿送り装置は、湾曲した形状をなし出口開口部を有する原稿搬送方向上流側の第１ガイド部材と、前記第１ガイド部材の原稿搬送方向下流側に配置され前記出口開口部より広い入口開口部を有する第２ガイド部材と、前記第２ガイド部材の入口開口部の原稿搬送方向下流側に配置され原稿を挟持して搬送する１組のローラ対から成る搬送ローラと、から構成され、画像読取装置の読取部において前記原稿を停止させて読取処理したのち、前記搬送ローラにより挟持して前記原稿を前記読取部から排出する光学系移動読取型の自動原稿送り装置において、前記第１ガイド部材の出口開口部と、前記第２ガイド部材の入口開口部との間にある原稿が前記搬送ローラの共通接線上に位置することを特徴とするものである。
【００１７】
更に、請求項４に係る本発明の画像形成装置は、画像形成装置の画像形成部において画像形成された用紙を反転搬送させる反転搬送手段に、請求項１に記載の第１ガイド部材、第２ガイド部材、搬送ローラを配置したことを特徴とするものである。
【発明の効果】
【００１８】
以上説明したように、本発明の用紙搬送装置及び自動原稿送り装置により以下の効果が奏せられる。
【００１９】
（１）  湾曲形状をなす上流側の搬送経路の第１ガイド部材の出口部と、下流側の搬送経路の第２ガイド部材の入口部とが近接する箇所を用紙後端部が通過する時、湾曲した用紙後端部が湾曲通紙経路の段差部に打ちつけられて発生する衝撃が防止され、騒音発生が解消される。また、部品点数を増す事なく機構が簡単になる。
【００２０】
（２）  画像読取装置の読取部に原稿を搬送しながら原稿画像を読み取るシートスルー型の自動原稿送り装置において、読取部近傍に形成された湾曲形状をなす上流側の搬送経路の第１ガイド部材の出口部と、下流側の搬送経路の第２ガイド部材の入口部とが近接する箇所を原稿後端部が通過する時、湾曲した原稿後端部が湾曲通紙経路の段差部に打ちつけられて発生する衝撃が防止され、騒音発生が解消される。
【００２１】
（３）  画像読取装置の原稿台ガラス上に原稿を搬送して原稿画像を読み取る光学系移動型の自動原稿送り装置において、原稿読取処理後に原稿を上方に湾曲させて排出する際に、湾曲した原稿後端部が打ちつけられて発生する衝撃が防止され、騒音発生が解消される。
【００２２】
（４）  画像形成装置の画像形成部において画像形成された用紙を反転搬送させる反転搬送手段に、前記（１）に記載の第１ガイド部材、第２ガイド部材、搬送ローラを配置したことにより、湾曲した反転搬送路を通過する用紙後端部が湾曲通紙経路の段差部に打ちつけられて発生する衝撃が防止され、騒音発生が解消される。また、部品点数を増す事なく簡単な機構により騒音発生が解消される。
【発明を実施するための最良の形態】
【００２３】
以下、本発明の用紙搬送装置及び自動原稿送り装置を添付図面に基づいて説明する。
【００２４】
図１は、画像形成装置本体Ａ、画像読取装置１０、原稿移動読取型自動原稿送り装置ＤＦ１から成る画像形成装置の全体構成図である。
【００２５】
［画像形成装置本体Ａ］
画像形成装置本体Ａは、感光体ドラム１、画像処理部２、画像書込部３、画像形成部４、給紙カセット５Ａ、第１給紙手段５Ｂ、第２給紙手段５Ｃ、搬送手段６、定着装置７、排紙ローラ８、自動両面コピーのための反転搬送手段（ＡＤＵ）９を備えている。
【００２６】
画像形成装置本体Ａの上部には、原稿移動読取型自動原稿送り装置ＤＦ１が開閉可能に支持されている。
【００２７】
画像読取装置１０において読み取られた原稿画像の画像情報は画像処理部２により画像処理が行われ、画像データとして信号化され、一旦メモリに格納される。
【００２８】
画像書込部３においては、半導体レーザからの出力光が画像形成部４の感光体ドラム１に照射され、潜像を形成する。画像形成部４においては、帯電、露光、現像、転写、分離、クリーニング等の処理が行われる。給紙カセット５Ａ、第１給紙手段５Ｂから搬送された用紙Ｓは、第２給紙手段５Ｃにより搬送され、画像形成部４の転写手段４Ａにより画像が転写される。画像を担持した用紙Ｓは、搬送手段６により搬送され、定着装置７により定着され、排紙ローラ８により装置外に排出される。
【００２９】
又は、搬送路切換板８Ａにより反転搬送手段９に送り込まれた第１面に画像形成された用紙Ｓは、第２給紙手段５Ｃにより搬送され、再び画像形成部４において第２面に画像形成後、排紙ローラ８により装置外に排出される。
【００３０】
或いは、搬送路切換板８Ａにより通常の排紙通路から分岐した用紙Ｓは、反転搬送手段９においてスイッチバックして表裏反転された後、排紙ローラ８により装置外に排出される。
【００３１】
図２は、画像読取装置１０及び原稿移動読取型自動原稿送り装置ＤＦ１の要部断面図である。
【００３２】
［画像読取装置１０］
画像形成装置本体Ａの上部には、画像読取装置１０が設置されている。画像読取装置１０の上部には、原稿台ガラス１１、シェーディング補正用基準板１２、スリット露光用ガラス１３、及び第１ガイド部材１４が配置されている。
【００３３】
画像読取装置１０の光学系は、光源と第１ミラーを備える露光ユニット１５、第２ミラーと第３ミラーから成るＶミラーユニット１６、レンズ１７、ＣＣＤイメージセンサ１８により構成されている。
【００３４】
原稿移動読取型自動原稿送り装置ＤＦ１による原稿読み取りは、露光ユニット１５がスリット露光用ガラス１３の下方の初期位置（ホームポジション）に停止した位置において行われる。
【００３５】
原稿台ガラス１１上の原稿の読み取りは、露光ユニット１５及びＶミラーユニット１６を移動させながら行われる。
【００３６】
［原稿移動読取型自動原稿送り装置ＤＦ１］
図２は、スリット露光用ガラス１３の上方を通過する原稿ｄの画像を読み取る原稿移動読取型（シートスルー型）自動原稿送り装置ＤＦ１である。
【００３７】
原稿移動読取型自動原稿送り装置ＤＦ１において、２０は原稿給紙台、２１は給紙ローラ、２２は分離ローラ、２３はレジストローラ、２４，２６は搬送ローラ、２５は原稿案内部材、２７は排紙ローラ、２８Ａ，２８Ｂは反転ローラ、２９は排紙皿である。Ｇ１，Ｇ２は搬送路切換部材である。
【００３８】
原稿移動読取型自動原稿送り装置ＤＦ１は、片面原稿読取機能と両面原稿読取機能とを有する。
【００３９】
図３は片面原稿読取機能の原稿搬送経路を示す断面図である。
【００４０】
原稿給紙台２０上に画像面を上側にして載置された原稿ｄは、給紙ローラ２１、分離ローラ２２、レジストローラ２３によって送り出され、搬送路切換部材Ｇ１の図示左側面を通過し、搬送ローラ２４に挟持されて搬送され、原稿案内部材２５から成る第１ガイド部材により形成される搬送経路内を通過し、スリット露光用ガラス１３の上方位置において画像読取装置１０により原稿画像が読み取られ、第１ガイド部材１４等により形成される搬送経路内を通過し、搬送ローラ２６に挟持されて搬送され、排紙ローラ２７により排出され、排紙皿２９上に載置される。
【００４１】
図４は両面原稿読取機能の原稿搬送経路を示す断面図である。
【００４２】
原稿給紙台２０上に画像面を上側にして載置された原稿ｄは、給紙ローラ２１、分離ローラ２２、レジストローラ２３によって送り出され、搬送路切換部材Ｇ１の図示右側面を通過し、反転ローラ２８Ａに挟持されて搬送され、搬送路切換部材Ｇ２の上方の搬送路を通過し、反転ローラ２８Ｂに挟持されて一旦、排出される。この排出時には、原稿ｄの進行方向後端部は反転ローラ２８Ｂに挟持された状態に保持され、原稿ｄの第１面は下側である（図４（ａ）参照）。
【００４３】
その後、反転ローラ２８Ｂに挟持された原稿ｄは逆方向に搬送され、反転ローラ２８Ｂに挟持されて搬送され、搬送路切換部材Ｇ１の図示下面を通過し、搬送ローラ２４に挟持されて搬送され、原稿案内部材２５等により形成される搬送経路内を通過し、スリット露光用ガラス１３の上方位置において画像読取装置１０の停止状態の光学系により原稿画像の第２面が読み取られる。
【００４４】
その後、原稿ｄは第１ガイド部材１４等により形成される搬送経路内を通過し、搬送ローラ２６に挟持されて搬送され、搬送路切換部材Ｇ２の下方の搬送路を通過し、反転ローラ２８Ｂに挟持されて一旦、排出される。この排出時には、原稿ｄの進行方向後端部は反転ローラ２８Ｂに挟持された状態に保持され、原稿ｄの第１面は上側となる（図４（ｂ）参照）。
【００４５】
引き続き、反転ローラ２８Ｂに挟持された原稿ｄは再び逆方向に搬送され、反転ローラ２８Ｂに挟持されて搬送され、搬送路切換部材Ｇ１の図示下面を通過し、搬送ローラ２４に挟持されて搬送され、原稿案内部材２５等により形成される搬送経路内を通過し、スリット露光用ガラス１３の上方位置において画像読取装置１０の停止状態の光学系により原稿画像の第１面が読み取られる。
【００４６】
その後、原稿ｄは第１ガイド部材１４等により形成される搬送経路内を通過し、搬送ローラ２６に挟持されて搬送され、排紙ローラ２７により排出され、原稿ｄの第１面を下側にして、排紙皿２９上に載置される（図４（ｃ）参照）。
【００４７】
［湾曲した搬送経路の係合部］
図５（ａ）は本発明の用紙搬送装置１００の要部断面図である。なお、この図面に使用されている符号について、図７（ａ）と同じ機能を有する部分には同符号を付している。また、図７（ａ）と異なる点を説明する。
【００４８】
用紙搬送装置１００は、上方に凹状に湾曲した形状をなす一対の上流側の第１ガイド部材１０１により形成された上流側搬送経路１１１と、上流側搬送経路１１１の用紙搬送方向下流側の一対の下流側の第２ガイド部材１０２により形成された下流側搬送経路１１２と、下流側搬送経路１１２の入口部の用紙搬送方向下流側に配置され用紙Ｓを挟持して搬送する１組のローラ対から成る搬送ローラ１１４とから成り、第１ガイド部材１０１の出口開口部１０１Ａと、第２ガイド部材１０２の入口開口部１０２Ａとの間に有る用紙Ｓが、一対の搬送ローラ１１４の挟持部Ｎにおける共通接線ＣＴ上に位置するように配置した。
【００４９】
上方に凹状に湾曲した形状をなす一対の上流側の第１ガイド部材１０１の曲率半径Ｒは、用紙Ｓの曲げ強度（腰の強さ）等により適当に設定されるが、例えば、Ｒ≒３０ｍｍである。
【００５０】
このように用紙搬送装置１００を、第１ガイド部材１０１の出口開口部１０１Ａの下面と、第２ガイド部材１０２の入口開口部１０２Ａの下面とに段差部ｈを形成した構成にするより、用紙Ｓの先端部通過を容易にするために第２ガイド部材１０２の入口開口部１０２Ａの下面を広く構成した段差部ｈを用紙Ｓの後端部が通過する時に、用紙Ｓの後端部が湾曲状態から平面上に復帰して、用紙Ｓの後端部が第２ガイド部材１０２の入口開口部１０２Ａを叩く事がなくなり、衝撃音の発生が解消される。
【００５１】
図５（ｂ）は本発明に係る原稿移動読取型自動原稿送り装置ＤＦ１の要部断面図である。なお、この図面に使用されている符号について、図７（ｂ）と同じ機能を有する部分には同符号を付している。また、図７（ｂ）と異なる点を説明する。更に、図２と重複する説明は省略する。
【００５２】
本発明の原稿移動読取型自動原稿送り装置ＤＦ１は、上方に凹状に湾曲した形状をなし出口開口部１０１Ａを有する原稿搬送方向上流側の原稿案内部材２５と第１ガイド部材１４とから成る第１ガイド部材と、第１ガイド部材の原稿搬送方向下流側に配置され出口開口部１０１Ａより広い入口開口部１０２Ａを有する第２ガイド部材と、第２ガイド部材の入口開口部１０２Ａの原稿搬送方向下流側に配置され原稿ｄを挟持して搬送する１組のローラ対から成る搬送ローラ２６と、から構成され、画像読取装置１０の読取部において読取処理された原稿ｄが、第１ガイド部材の出口開口部１０１Ａを通過し、第２ガイド部材の入口開口部１０２Ａを通過した後、搬送ローラ２６により搬送される原稿移動読取型の自動原稿送り装置ＤＦ１において、第１ガイド部材の出口開口部１０１Ａと、第２ガイド部材の入口開口部１０２Ａとの間にある原稿ｄが搬送ローラ２６の共通接線ＣＴ上に位置するように配置した。
【００５３】
上方に凹状に湾曲した形状をなす一対の上流側の第１ガイド部材の原稿案内部材２５の
曲率半径Ｒは、原稿ｄの曲げ強度（腰の強さ）等により適当に設定されるが、例えば、Ｒ≒３０ｍｍである。
【００５４】
上記の構成によって、第２ガイド部材１９の入口部の下面が広く構成された係合箇所の段差部ｈを用紙Ｓの後端部が通過する時に、用紙Ｓの後端部が湾曲状態から平面上に復帰して、用紙Ｓの後端部が第２ガイド部材１９の入口部を叩く事がなくなり、衝撃音の発生が解消される。
【００５５】
［光学系移動読取型自動原稿送り装置ＤＦ２］
図６は、光学系移動読取型自動原稿送り装置ＤＦ２の断面図である。なお、この図面の画像読取装置１０は図２と同じ構成であるから、同符号を付して説明を省略する。
【００５６】
原稿給紙台３０上に画像面を上側にして載置された原稿ｄは、給紙ローラ３１、分離ローラ３２、レジストローラ３３によって送り出され、１組のローラ対から成る搬送ローラ３４に挟持されて搬送され、湾曲した形状をなす第１ガイド部材３５等により形成される搬送経路内を通過し、下流側の第２ガイド部材３６により形成される搬送経路内を通過し、１組のローラ対から成る搬送ローラ３７と搬送ベルト３８に挟持されて搬送され、原稿台ガラス１１を搬送され所定位置に停止される。
【００５７】
上記の構成をなす光学系移動読取型自動原稿送り装置ＤＦ２において、第２ガイド部材３６の入口開口部３６Ａを第１ガイド部材３５の出口開口部３５Ａより広くして、段差部ｈを形成し、原稿ｄの先端部導入を確実にしている。
【００５８】
第１ガイド部材３５の出口開口部３５Ａと、第２ガイド部材３６の入口開口部３６Ａとの間にある原稿ｄが搬送ローラ３７の共通接線上に位置することにより、段差部ｈを原稿ｄの後端部が通過する時に、原稿ｄの後端部が湾曲状態から平面上に復帰して、原稿ｄの後端部が第２ガイド部材３６の入口開口部３６Ａを叩く事がなくなり、衝撃音の発生が解消される。
【００５９】
原稿台ガラス１１上の所定位置に停止された原稿ｄは、画像読取装置１０による走査露光によって原稿画像が読み取られた後、搬送ベルト３８と搬送ローラ４１とに挟持されて搬送され、湾曲した形状をなす第１ガイド部材４２により形成された上流側搬送経路を通過し、上流側搬送経路の用紙搬送方向下流側の第２ガイド部材４３により形成された下流側搬送経路を通過して、排紙ローラ４４により挟持されて排出され、排紙皿４５上に載置される。
【００６０】
第２ガイド部材４３の入口開口部４３Ａを第１ガイド部材４２の出口開口部４２Ａより広くして、段差部ｈを形成し、原稿ｄの先端部導入を確実にしている。
【００６１】
第１ガイド部材４２の出口開口部４２Ａと、第２ガイド部材４３の入口開口部４３Ａとの間にある原稿ｄが排紙ローラ４４の共通接線上に位置することにより、段差部ｈを原稿ｄの後端部が通過する時に、原稿ｄの後端部が湾曲状態から平面上に復帰して、原稿ｄの後端部が第２ガイド部材４３の入口開口部４３Ａを叩く事がなくなり、衝撃音の発生が解消される。
【００６２】
本発明の用紙搬送装置は、画像形成装置本体Ａの反転搬送手段９において、湾曲した形状をなす用紙搬送経路ｐ１，ｐ２，ｐ３（図１参照）の各出口開口部と各入口開口部とが近接する箇所にも、図５（ａ）に示した配置を適用して、同様の効果が得られる。
【図面の簡単な説明】
【００６３】
【図１】画像形成装置本体、画像読取装置、自動原稿送り装置から成る画像形成装置の全体構成図。
【図２】画像読取部及び自動原稿送り装置の要部断面図。
【図３】片面原稿読取機能の原稿搬送経路を示す断面図。
【図４】両面原稿読取機能の原稿搬送経路を示す断面図。
【図５】本発明の用紙搬送装置及び原稿移動読取型の自動原稿送り装置の要部断面図。
【図６】光学系移動読取型の自動原稿送り装置の断面図。
【図７】従来の用紙搬送装置及び自動原稿送り装置の要部断面図。
【符号の説明】
【００６４】
９  反転搬送手段（ＡＤＵ）
１０  画像読取装置
１１  原稿台ガラス
１３  スリット露光用ガラス
１４  第１ガイド部材
１９  第２ガイド部材
２０  原稿給紙台
２４，２６，３４，３７，４１，１０３，１０４，１１４  搬送ローラ
２５  原稿案内部材（上流側ガイド部材）
３０  原稿給紙台
３５，４２，１０１  第１ガイド部材
３６，４３，１０２  第２ガイド部材
４４  排紙ローラ
１００  用紙搬送装置
１０１Ａ  出口開口部
１０２Ａ  入口開口部
１１１  上流側搬送経路
１１２  下流側搬送経路
Ａ  画像形成装置本体
ＣＴ  共通接線
ＤＦ１  原稿移動読取型自動原稿送り装置
ＤＦ２  光学系移動読取型自動原稿送り装置
Ｎ  挟持部
Ｓ  用紙
ｄ  原稿
ｈ  段差部
【図１】
2005142995.tif 000003
【図２】
2005142995.tif 000004
【図３】
2005142995.tif 000005
【図４】
2005142995.tif 000006
【図５】
2005142995.tif 000007
【図６】
2005142995.tif 000008
【図７】
2005142995.tif 000009